(57)【要約】【課題】      作業者が任意の部分を視認しつつ容易に操作を行うことに適したペンダントスイッチを提供する。【解決手段】  ペンダントスイッチ１は、壁などに固定されておらず、作業者が保持して操作することができる。ペンダントスイッチ１は、正面、裏面、左右側面、端面などの複数個所に設けられた照射部３で光を照射することができる。作業者は、ペンダントスイッチ１の照射部３で例えば被加工物を照射して視認して操作部７を操作することができる。固定的な照射では影が生じ、十分な視認ができなかったが、ペンダントスイッチ１に照射部３を設け、さらに、様々な位置から照射できるようにすることにより、被加工物の取付状況、加工面の状況などを確実に視認でき、品質維持に役立つ。【選択図】  図１
0003194535.tif 000002
【実用新案登録請求の範囲】
【請求項１】
装置の運転を操作するための操作部を備えるペンダントスイッチであって、
前記装置に対して光を照射可能な照射部と、
前記照射部に対して光を照射させるか否かを制御する照射制御部を備え、
前記操作部は、前記照射制御部が前記照射部に光を照射させていない状態で操作可能であり、かつ、前記照射制御部が前記照射部に光を照射させて前記照射部が前記装置に光を照射している状態でも操作可能である、ペンダントスイッチ。
【請求項２】
前記照射部は、複数の個所で光を照射可能であり、
前記照射制御部は、前記照射部の全部の箇所で光を照射させ、前記照射部の一部の箇所で光を照射させて他の箇所で光を照射させず、又は、前記照射部の全部の箇所で光を照射させない、請求項１記載のペンダントスイッチ。
【請求項３】
前記照射部は、少なくとも、前記操作部が存在する側、及び、前記操作部とは反対側で光を照射可能であり、
前記照射制御部は、
前記操作部が存在する側で光を照射させる場合には前記操作部とは反対側では光を照射させず、
前記操作部とは反対側で光を照射させる場合には前記操作部が存在する側では照射させない、請求項２記載のペンダントスイッチ。
【請求項４】
前記照射部は、前記装置の同一部分に対して離れた複数の個所で光を照射可能であり、
前記照射制御部は、前記照射部の前記離れた複数の箇所で前記装置の同一部分に対して光を照射させることにより照射による影の発生を抑制する、請求項１から３のいずれかに記載のペンダントスイッチ。
【請求項５】
前記装置は工作機械であり、
前記照射部はＬＥＤで構成されることにより前記照射部の照射による被加工物の温度上昇を抑制して加工の精度を維持させる、請求項１から４のいずれかに記載のペンダントスイッチ。
【考案の詳細な説明】
【技術分野】
【０００１】
本考案は、ペンダントスイッチに関し、特に、装置の運転を操作するための操作部を備えるペンダントスイッチに関する。
【背景技術】
【０００２】
ペンダントスイッチは、装置の運転を操作するための操作部を備えるスイッチで、作業者が保持して操作することができるものである。
【０００３】
例えば作業者が加工装置を操作するためのペンダントスイッチを操作する場合に、装置の一部（例えばＺ軸ベース）等に、例えば特許文献１に記載されているような照明等を装備させて、この照明等を利用して被加工物の状態を見て加工装置の運転を操作していた。
【先行技術文献】
【特許文献】
【０００４】
【特許文献１】特開２０１２−０９９３６６号公報
【考案の概要】
【考案が解決しようとする課題】
【０００５】
しかしながら、従来の照明等は加工装置等に固定されているために影が生じ、作業者がのぞき込もうとすると見にくくなる場合があった。
【０００６】
そこで、本考案は、作業者が装置の任意の部分を視認しつつ容易に操作を行うことに適したペンダントスイッチを提供することを目的とする。
【課題を解決するための手段】
【０００７】
本願考案の第１の観点は、装置の運転を操作するための操作部を備えるペンダントスイッチであって、前記装置に対して光を照射可能な照射部と、前記照射部に対して光を照射させるか否かを制御する照射制御部を備え、前記操作部は、前記照射制御部が前記照射部に光を照射させていない状態で操作可能であり、かつ、前記照射制御部が前記照射部に光を照射させて前記照射部が前記装置に光を照射している状態でも操作可能であるものである。
【０００８】
本願考案の第２の観点は、第１の観点のペンダントスイッチであって、前記照射部は、複数の個所で光を照射可能であり、前記照射制御部は、前記照射部の全部の箇所で光を照射させ、前記照射部の一部の箇所で光を照射させて他の箇所で光を照射させず、又は、前記照射部の全部の箇所で光を照射させないものである。
【０００９】
本願考案の第３の観点は、第２の観点のペンダントスイッチであって、前記照射部は、少なくとも、前記操作部が存在する側、及び、前記操作部とは反対側で光を照射可能であり、前記照射制御部は、前記操作部が存在する側で光を照射させる場合には前記操作部とは反対側では光を照射させず、前記操作部とは反対側で光を照射させる場合には前記操作部が存在する側では照射させないものである。
【００１０】
本願発明の第４の観点は、第１から第３のいずれかの観点のペンダントスイッチであって、前記照射部は、前記装置の同一部分に対して離れた複数の個所で光を照射可能であり、前記照射制御部は、前記照射部の前記離れた複数の箇所で前記装置の同一部分に対して光を照射させることにより照射による影の発生を抑制するものである。
【００１１】
本願発明の第５の観点は、第１から第４のいずれかの観点のペンダントスイッチであって、前記装置は工作機械であり、前記照射部はＬＥＤで構成されることにより前記照射部の照射による被加工物の温度上昇を抑制して加工の精度を維持させるものである。
【考案の効果】
【００１２】
本願考案の各観点によれば、ペンダントスイッチに光を照射する照射部を設けることにより、作業者は、照射部の光を利用して装置の任意の部分を視認して操作をすることができる。ここで、照射部が光を照射する必要がなければ光を照射させずに操作部を操作することができ、従来と同様の操作が可能である。そのため、照射部は、単に通電の有無を示すために点灯するものとは本質的に異なるものである。
【００１３】
さらに、本願考案の第２の観点によれば、例えば複数面に照射部を設けるように、複数個所で照射可能とすることにより、光を照射しつつ、容易に操作をすることができる。例えば、作業者は、裏面（操作部とは反対側の面）の照射部を照射させて被加工物の上面を観ながら操作したり、正面（操作部がある面）の照射部を照射させて被加工物の下面を観ながら操作したり、端面（コード等と接続するための接続部とは反対側の面）の照射部を照射させて被加工物の正面（作業者側の面）を観ながら操作したり、左面又は右面の照射部を照射させて被加工物の右面又は左面を観ながら操作したりして、容易に視認できるようにすることが可能である。
【００１４】
特に、本願考案の第３の観点にあるように、正面と裏面では、一方を照射している状態では他方を照射しないようにすることにより、必要な箇所のみを照射できるようにすることが可能になる。
【００１５】
さらに、本願考案の第４の観点によれば、照射による影を抑制することにより、作業者は確実に視認できるようにする。
【００１６】
さらに、本願考案の第５の観点によれば、加工装置の狭い範囲を照射しても温度上昇を防ぎ、品質を維持することができる。
【図面の簡単な説明】
【００１７】
【図１】本願考案の実施例に係るペンダントスイッチ１の構成の概要を示すブロック図である。
【図２】図１のペンダントスイッチ１の具体例を示す図である。
【考案を実施するための形態】
【００１８】
以下、図面を参照して、本願考案の実施例について述べる。なお、本願考案の実施の形態は、以下の実施例に限定されるものではない。
【実施例】
【００１９】
図１は、本願考案の実施例に係るペンダントスイッチの構成の概要を示すブロック図である。ペンダントスイッチ１は、装置の運転を操作するためのものである。以下では、加工装置を例に説明する。ペンダントスイッチ１は、Ｎ個の照射部３（本願請求項の「照射部」の一例）と、照射制御部５（本願請求項の「照射制御部」の一例）と、操作部７（本願請求項の「操作部」の一例）と、接続部９を備える。
【００２０】
Ｎ個（Ｎは、２以上の自然数）の照射部３1，…，３N（添え字は省略することもある。）は、加工装置における被加工物の部分に光を照射することができる。照明部３は、例えばＬＥＤチップを設けて、ＬＥＤで光を照射することにより実現する。これにより、例えば、被加工物の取付状況、加工面の状況などを確実に視認でき、品質維持に役立つ。
【００２１】
照明制御部５は、各照射部３に光を照射させるかを制御する。証明制御部５は、例えば、各照射部３に対応して、光の照射の有無を制御するためのスイッチを含む。また、各照射部３の光の照射量を制御するものでもよい。
【００２２】
操作部７は、加工装置の運転を操作するために作業者が操作するものである。
【００２３】
接続部９は、ペンダントスイッチ１にコード等を接続するためのものである。ペンダントスイッチ１は、作業者が保持して操作をすることができるものである。なお、例えばマグネット等で加工装置の鋼板の部分にくっつけてもよい。
【００２４】
作業者が保持するため、作業者が被加工物等を視認して操作する場合に、作業者の手元にペンダントスイッチ１がある。視認する場所が明るく光の照射が必要なければ、作業者は、照明制御部５によって照射部３が光を照射していない状態にして操作部７を操作すればよい。暗く視認が難しい状態であれば、作業者はペンダントスイッチ１の照射制御部５により照明部３の一部又は全部を照射させて被加工物を照射する。作業者は容易に被加工物等に光を照射し、容易に視認した状態で操作部７を操作することができる。
【００２５】
ここで、複数の照射部３は、例えば、ペンダントスイッチ１の正面（操作部７が設けられている面）、裏面（操作部７が設けられている面の反対側の面）、左面、右面、及び、端面（接続部９の反対側の面）の一部又は全部などに設けてもよい。例えば、作業者は、ペンダントスイッチ１の裏面の照射部を照射させて被加工物の上面を観ながら操作することができる。また、ペンダントスイッチ１の正面の照射部を照射させて被加工物の下面を観ながら操作することができる。また、作業者は、端面の照射部を照射させて被加工物の正面を観ながら操作することができる。さらに、左面又は右面の照射部を照射させて被加工物の右面又は左面を観ながら操作することができる。ここで、例えば、正面と裏面などでは、一方を照射している状態では他方を照射しないようにすることにより、必要な箇所のみを照射できるようにすることができる。
【００２６】
図２は、図１のペンダントスイッチ１の具体例であるペンダントスイッチ１１の正面図である。
【００２７】
ペンダントスイッチ１１は、照射部１３1及び１３2と、ボタン１５1、１５2及び１５3と、他の複数のボタンと、接続部１７を備える。照射部１３1及び１３2は、離れて設けられることにより、照射した部分に影が生じることを抑制するものである。
【００２８】
ボタン１５1は、「ＬＥＤ」と表示されたボタンである。照射部１３1及び１３2が光を照射していない状態で作業者がボタン１５1を押下することによって照射部１３1及び１３2が光を照射する。照射部１３1及び１３2が光を照射している状態で作業者がボタン１５1を押下することによって照射部１３1及び１３2が光を照射しない状態にする。
【００２９】
ボタン１５2は、照射部１３1及び１３2が光を照射している状態で押下されることにより、光の照射量を増加させるものである。ボタン１５3は、照射部１３1及び１３2が光を照射している状態で押下されることにより、光の照射量を減少させるものである。なお、ボタン１５2及び１５3は、他の量を増減させるために使用されるものであってもよい。
【００３０】
他のボタンは、作業者が工作装置を操作するために操作する。
【００３１】
接続部１７は、コードなどを接続するためのものである。
【００３２】
なお、例えば側面や背面や端面など複数の面に照射部を設け、いずれかを照射するようにする場合には、ボタン１５1の押下回数に応じて順に照射する面を変更すればよい。例えば、１回目は正面、２回目は右側面、３回目は左側面、４回目は背面、５回目は端面であり、これを順に繰り返すなどである。
【符号の説明】
【００３３】
１，１１  ペンダントスイッチ、３，１３  照射部、５，１５  照射制御部、７  操作部、９，１７  接続部
【図１】
0003194535.tif 000003
【図２】
0003194535.tif 000004